(57)【要約】【課題】より利便性の高い自動改札機、及び自動改札機システムを提供することである。【解決手段】実施形態の自動改札機は、情報読取部と、情報出力部と、判定制御部とを持つ。情報読取部は、利用者が提示する媒体に記憶された情報を読み取る。情報出力部は、情報を出力する。判定制御部は、前記情報読取部によって読み取られた情報に基づいて、前記媒体の利用履歴に関係する条件であって、入出場の許可を判定するための条件とは異なる所定の条件を満たしているか否かを判定し、前記所定の条件を満たしていないと判定した場合に、前記所定の条件を満たしていないことに関連した情報を前記情報出力部に出力させる。【選択図】図３
2015176299.tif 000002
【特許請求の範囲】
【請求項１】
利用者が提示する媒体に記憶された情報を読み取る情報読取部と、
情報を出力する情報出力部と、
前記情報読取部によって読み取られた情報に基づいて、前記媒体の利用履歴に関係する条件であって、入出場の許可を判定するための条件とは異なる所定の条件を満たしているか否かを判定し、前記所定の条件を満たしていないと判定した場合に、前記所定の条件を満たしていないことに関連した情報を前記情報出力部に出力させる判定制御部と、
を備える自動改札機。
【請求項２】
前記所定の条件は、当該自動改札機が入場処理を行う場合に、前記利用履歴において当該自動改札機が設置された駅を除く駅の中で入出場駅となった回数が多い、または割合が高い入出場駅において出場が許可されるための条件を、前記情報読取部によって読み取られた情報が満たしていることである、
請求項１記載の自動改札機。
【請求項３】
前記所定の条件は、当該自動改札機が入場処理を行う場合に、前記利用履歴において当該駅を入場駅としたときに出場駅となった回数が多い、または割合が高い出場駅において出場が許可されるための条件を、前記情報読取部によって読み取られた情報が満たしていることである、
請求項１記載の自動改札機。
【請求項４】
前記所定の条件は、当該自動改札機が出場処理を行う場合に、当該自動改札機が設置された駅から前記利用履歴における直近の入場駅までの乗車が許可されるための条件を、前記情報読取部によって読み取られた情報が満たしていることである、
請求項１から３のうちいずれか１項に記載の自動改札機。
【請求項５】
前記情報出力部は、音声を出力するスピーカを含み、
前記判定制御部は、前記所定の条件を満たしていない場合に、前記所定の条件を満たしていないことに関連した音声を出力するように前記スピーカを制御する、
請求項１から４のうちいずれか１項に記載の自動改札機。
【請求項６】
前記情報出力部は、画像を表示する表示部を備え、
前記判定制御部は、前記所定の条件を満たしていしない場合に、前記所定の条件を満たしていないことに関連した情報を表示するように前記表示部を制御する、
請求項１から５のうちいずれか１項に記載の自動改札機。
【請求項７】
前記判定制御部は、前記所定の条件とは異なる予備条件を満たしていない場合には、前記所定の条件を満たしているか否かの判定を行わず、前記所定の条件を満たしていないことに関連した情報を前記情報出力部に出力させない、
請求項１から６のうちいずれか１項に記載の自動改札機。
【請求項８】
請求項１から７のうちいずれか１項に記載の自動改札機と、
前記媒体に関係する情報が記憶されたセンター側記憶部と、を備え、
前記判定制御部は、前記媒体読取部によって前記媒体から読み取られた情報に基づき、前記センター側記憶部に記憶された前記媒体の情報に対応づけされた媒体に関係する情報を取得し、前記取得した媒体に関係する情報に基づき、前記所定の条件を満たすか判定する、
自動改札機システム。
【発明の詳細な説明】
【技術分野】
【０００１】
本発明の実施形態は、自動改札機、及び自動改札機システムに関する。
【背景技術】
【０００２】
鉄道の駅等の施設には、利用者によってＩＣカードや電子機器等の媒体が翳されると、自動的に入出場の許可判定を行う自動改札機が設置されている。また、入出場の判定を行う案内機を設置することが提案されている。利用者が入出場の許可の判定を受けるためには、案内機のある場所へ行き、その場所で媒体を提示しなければならない。このため、案内機の場所によっては、そこで判定を受けることは、利用者にとって利便性が低い場合があった。
【先行技術文献】
【特許文献】
【０００３】
【特許文献１】特開２０１０−１７６２２３号公報
【発明の概要】
【発明が解決しようとする課題】
【０００４】
本発明が解決しようとする課題は、より利便性の高い自動改札機、及び自動改札機システムを提供することである。
【課題を解決するための手段】
【０００５】
実施形態の自動改札機は、情報読取部と、情報出力部と、判定制御部とを持つ。情報読取部は、利用者が提示する媒体に記憶された情報を読み取る。情報出力部は、情報を出力する。判定制御部は、前記情報読取部によって読み取られた情報に基づいて、前記媒体の利用履歴に関係する条件であって、入出場の許可を判定するための条件とは異なる所定の条件を満たしているか否かを判定し、前記所定の条件を満たしていないと判定した場合に、前記所定の条件を満たしていないことに関連した情報を前記情報出力部に出力させる。
【図面の簡単な説明】
【０００６】
【図１】利用者Ｕが自動改札機１を通過する様子を模式的に示す図である。
【図２】媒体Ｍが記憶する情報の形式を例示した図である。
【図３】実施形態の自動改札機１の機能構成例を示す図である。
【図４】媒体Ｍの利用履歴に基づいて行き先候補駅が選択され、所定の条件を満たすか否かが判定される処理を説明するための図である。
【図５】本実施形態の自動改札機１により実行される処理の流れの一例を示すフローチャートである。
【図６】表示部５４が表示する画面の一例を示す図である。
【図７】本実施形態の自動改札機１により実行される処理の流れの一例を示すフローチャートである。
【図８】媒体Ｍの利用履歴に基づいて行き先候補駅が選択され、所定の条件を満たすか否かが判定される処理を説明するための図である。
【図９】自動改札機１を組み込んだ自動改札機システム１００の機能構成例を示す図である。
【発明を実施するための形態】
【０００７】
（第１の実施形態）
以下、実施形態の自動改札機１を、図面を参照して説明する。
図１は、利用者Ｕが自動改札機１を通過する様子を模式的に示す図である。自動改札機１は、例えば、鉄道の駅に設置される。鉄道の利用者Ｕは、目的の駅までの乗車券を購入し、自動改札機１の乗車券投入口４に乗車券を挿入し、自動改札機１の扉６０が開いた後に、駅の構内へ入場、または駅構内から出場する。また、鉄道の利用者Ｕは、ＩＣ（Ｉｎｔｅｇｒａｎｔｅｄ  Ｃｉｒｃｕｉｔ；集積回路）を内蔵したＩＣカードや電子機器等の媒体Ｍを、自動改札機１の情報読取部１０に提示して、自動改札機１の扉６０が開いた後に、駅の構内へ入場、または駅の構内から出場する。図２は、媒体Ｍが記憶する情報の形式を例示した図である。媒体Ｍに内蔵されたＩＣには、例えば、媒体Ｍの識別情報（媒体ＩＤ）、入場駅情報、経由駅情報、出場駅情報、入出場時刻情報、利用可能な金額の情報（残額情報）、入場・出場履歴情報、利用者情報（記名式ＩＣカードや電子機器の場合）、利用可能な区間情報および有効期限情報（定期付きＩＣカードや電子機器の場合）、などが記憶されている。入場・出場記録情報とは、例えば、過去の所定回数分の乗車に関する入場駅と出場駅の履歴（媒体Ｍの利用履歴）である。
【０００８】
自動改札機１は、媒体ＭのＩＣに記憶された情報を認識し、駅の構内への入場が可能であるか、または駅の構内からの出場が可能であるかを判定し、入出場が可能な場合には扉６０を開放状態とし、利用者Ｕの駅構内への入場を許可、または駅構内からの出場を許可する。自動改札機１は、利用者Ｕが進入する向きに応じて、入場駅としての処理（入場処理）を行ったり、出場駅としての処理（出場処理）を行ったりする。
【０００９】
図３は、実施形態の自動改札機１の機能構成例を示す図である。
自動改札機１は、例えば、情報読取部１０と、情報書込部２０と、制御部３０と、記憶部４０と、情報出力部５０と、扉６０とを備える。
情報読取部１０は、例えば、磁気券読取部１２と、媒体読取部１４とを備え、利用者Ｕが提示する媒体Ｍに記憶された情報を読み取る。
磁気券読取部１２は、磁気ヘッドを備え、乗車券投入口４より投入された磁気券に記憶された情報を読み込む。
【００１０】
媒体読取部１４は、利用者Ｕより提示された媒体ＭのＩＣに記憶された情報を読み取る。媒体読取部１４は、例えば、媒体Ｍに内蔵されたＩＣに記憶された利用可能な金額の情報、利用可能な区間情報、有効期限情報、入場・出場記録情報、利用者情報などの情報を読み取る。媒体読取部１４は、ＲＦＩＤ（Ｒａｄｉｏ  Ｆｒｅｑｕｅｎｃｙ  ＩＤｅｎｔｉｆｉｃａｉｔｏ）通信部を備えている。ＲＦＤＩ通信部は、媒体読取部１４の表面、つまり、利用者Ｕが媒体Ｍを提示する側と対向する面に磁界を発生させる。この磁界を利用した電磁誘導を介して、利用者Ｕが提示する媒体Ｍに内蔵したＩＣに電圧を印加する。この電圧の印加により、媒体Ｍが内蔵するＩＣは動作する。媒体読取部１４は、動作したＩＣと無線通信を介して、媒体ＭのＩＣに記憶された情報を読み取る。
【００１１】
制御部３０は、入出場処理部３２と、判定制御部３４と、扉制御部３６とを備え、自動改札機１の動作を制御する。制御部３０の各構成要素は、例えば、自動改札機１の備えるＣＰＵが記憶部４０に記憶されているプログラムを実行することによって機能するソフトウェア機能部である。また、制御部３０の構成要素の一部または全部は、ＬＳＩ（Large  Scale  Integration）やＡＳＩＣ（Application  Specific  Integrated  Circuit）等のハードウェア機能部であってよい。
【００１２】
記憶部４０は、例えば、ＨＤＤ（Ｈａｒｄ  Ｄｉｓｃ  Ｄｒｉｖｅ）、フラッシュメモリ、ＥＥＰＲＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ），ＲＯＭ（Ｒｅａｄ  Ｏｎｌｙ  Ｍｅｍｏｒｙ），またはＲＡＭ（Ｒａｎｄｏｍ  Ａｃｃｅｓｓ  Ｍｅｍｏｒｙ）等を備える。また、記憶部４０は、ファームウェアやアプリケーションプログラム等、自動改札機１が備えるＣＰＵが実行するための各種プログラムやＣＰＵが実行した処理の結果などの他、運賃テーブル４２を記憶する。
【００１３】
扉６０は、扉制御部３６から出力された信号に基づき、開閉動作を行う。情報出力部５０は、スピーカ５２と、表示部５４とを備える。スピーカ５２は、制御部３０から出力された信号に対応する音声を出力する。表示部５４は、制御部３０から出力された信号に対応する情報を表示部５４の表示画面に出力する。
【００１４】
入出場処理部３２は、情報読取部１０により読み取られた情報を取得し、改札処理を実行する。入出場処理部３２は、使用された券が磁気券である場合、以下に示すような改札処理を行う。自動改札機１が入場処理を行う場合、入出場処理部３２は、磁気券読取部１２により読み取られた購入区間内に、当該自動改札機１が設置された駅（以下、当該駅と称する）が入っているか否かを判定し、当該駅が購入区間内に入っている場合に、入場を許可すると共に、磁気券に当該駅の情報を書き込むように磁気券書込部２２に指示する。入出場判定部により入場が許可されると、扉制御部３６が扉６０を開放状態にする。一方、自動改札機１が出場処理を行う場合、入出場処理部３２は、磁気券読取部１２により読み取られた情報の中に、入場駅を示す情報が入っており、且つ、入場駅と当該駅の双方が、購入区間内に入っている場合に、出場を許可する。入出場処理部３２により出場が許可されると、扉制御部３６が扉を開放状態にする。
【００１５】
入出場処理部３２は、使用された券が媒体Ｍである場合、以下に示すような改札処理を行う。自動改札機１が入場処理を行う場合、入出場処理部３２は、媒体読取部１４により読み取られた情報のうち残額情報を参照し、残額情報が所定の下限値を下回っているか否かを判定する。残額情報が所定の下限値を下回っている場合、入出場処理部３２は、入場を許可しない。入出場処理部３２により入場が許可されない場合、扉制御部３６が扉６０を閉止状態にする。所定の下限値とは、例えば、当該駅からの運賃が最も安い他の駅までの運賃である。残額情報が所定の下限値以上である場合、入出場処理部３２は、入場を許可すると共に、入場駅の情報を媒体Ｍに書き込むように媒体書込部２４に指示する。一方、自動改札機１が出場処理を行う場合、入出場処理部３２は、媒体読取部１４により読み取られた入場駅の情報を参照し、入場駅から当該駅までの運賃を、入場駅と運賃との対応関係を規定した運賃テーブル４２を検索することで取得する。運賃テーブル４２は、記憶部４０に記憶されている。そして、入場駅から当該駅までの運賃が、媒体読取部１４により読み取られた残額情報の示す残額以下である場合に、出場を許可すると共に、残額情報から運賃を差し引いて残額情報を更新するように媒体書込部２４に指示する。
【００１６】
判定制御部３４は、情報読取部１０によって読み取られた情報に基づいて、媒体Ｍの利用履歴に関係する条件であって、入出場の許可を判定するための条件とは異なる所定の条件を満たしているか否かを判定する。判定制御部３４は、所定の条件を満たしていないと判定した場合に、所定の条件を満たしていないことを示す情報を情報出力部５０に出力させる。本実施形態における所定の条件とは、利用者Ｕが当該駅で入場した場合において、媒体Ｍの利用履歴に含まれる駅のうち、当該駅を除く駅の中で、最も利用履歴に登録された回数が多い（或いは割合が高い）行き先候補駅までの運賃が、残高情報の示す残高以下であることである。
【００１７】
図４は、利用履歴に基づいて行き先候補駅が選択され、所定の条件を満たすか否かが判定される処理を説明するための図である。本図の例において、当該駅はＡ駅であり、利用者ＵはＡ駅で入場しようとし、入場データが利用履歴として記憶されたものとする（図４、（９））。図４の（９）に示すように、利用者ＵはＡ駅で入場したので、媒体Ｍの利用履歴には、入場の月日、入場の時刻、種別、入場駅情報が記憶された。図４の例では、行き先候補として、当該Ａ駅以外で、最も利用履歴に登録された回数が多い駅であるＢ駅が選択される。そして、判定制御部３４は、当該駅からＢ駅までの運賃を運賃テーブル４２から取得し、残額情報の示す額が運賃未満である（所定の条件を満たさない）場合に、その旨を示す情報を出力するように、情報出力部５０に指示する。
【００１８】
これによって、利用者Ｕは、当該駅から良く利用する駅までの運賃が、媒体Ｍに残高情報として格納されていない場合には、そのことを入場段階で知ることができる。この結果、利用者Ｕは、出場前にチャージや清算を自発的に行うように誘導される。そのため、自動改札機１は、出場駅の自動改札機１で残高不足により制止されるという煩わしい事態が生じる可能性を低減することができる。
【００１９】
図５は、本実施形態の自動改札機１により実行される処理の流れの一例を示すフローチャートである。なお、本フローチャートの処理は、自動改札機１が入場処理を行う場合の処理を示している。
まず、媒体読取部１４は、利用者Ｕより提示された媒体ＭのＩＣに記憶された情報を読み取る（ステップＳ１００）。入出場処理部３２は、媒体読取部１４により読み取られた情報に基づき、改札処理を行い、入場許可の条件を満たすか否かを判定する（ステップＳ１０２）。
【００２０】
入出場処理部３２が、入場許可の条件を満たさないと場合、扉制御部３６は、扉６０を所定の時間、閉止状態とし（ステップＳ１０４）、所定の時間経過した後に扉６０を開放状態とする（ステップＳ１０５）。その後、ステップＳ１００に処理が戻る。
【００２１】
入出場処理部３２が、入場許可の条件を満たすと判定した場合、媒体書込部２４は、入出場処理部３２より出力された信号に基づく情報を、媒体ＭのＩＣ回路に記憶させる（ステップＳ１０６）。媒体書込部２４は、例えば、入場月日、入場時刻、入場駅情報など、入場処理に関する情報を媒体ＭのＩＣ回路に記憶させる。
【００２２】
次に、判定制御部３４は、予備条件を満たすか否かの判定を行う（ステップＳ１０８）。ここで、「予備条件」とは、例えば、記憶部４０に記憶された、または媒体Ｍに設定された特定の条件である。具体的には、予備条件とは、例えば、現在の時刻が、駅の利用者が多い朝夕の所定の時間帯に該当しないことを含む。また、予備条件とは、利用者Ｕにより提示された媒体Ｍが、利用者Ｕが、本実施形態の処理の適用を受けないことを選択した旨の情報が記憶された媒体でないことを含んでよい。判定制御部３４は、予備条件を満たさないと判定した場合には、ステップＳ１１０からステップＳ１１４までの処理を行わない。
【００２３】
判定制御部３４は、利用者Ｕが提示する媒体Ｍの利用履歴に基づき、行き先候補を選択する（ステップＳ１１０）。前述したように図４に示す媒体Ｍの利用履歴においては、Ａ駅の利用の回数が最も多く、次にＢ駅の利用の回数が最も多い。判定制御部３４は、当該駅であるＡ駅の次に最も利用回数が多いＢ駅を、行き先候補として選択する。
【００２４】
判定制御部３４は、記憶部４０に記憶された運賃テーブル４２を参照して、当該駅から行き先候補までの運賃を取得する。そして、判定制御部３４は、媒体Ｍに記憶された残額情報が、行き先候補までの運賃以上であるか否かを判定する（ステップＳ１１２）。媒体Ｍに記憶された残額情報が、行き先候補までの運賃以上である場合、扉６０が開放状態とされ（ステップＳ１１６）、本フローチャートの処理が終了する。
【００２５】
媒体Ｍに記憶された残額情報が、行き先候補までの運賃以上ではない場合、判定制御部３４は、残額情報が、行き先候補までの運賃以上ではないことに関連した情報を利用者Ｕに対して出力するように、情報出力部５０に指示する（ステップＳ１１４）。情報出力部５０のスピーカ５２は、例えば、「チャージをお勧めいたします」という音声を出力する。また、情報出力部５０の表示部５４は、仮に行き先候補で出場した場合に、残高不足と判定されることを通知する画面を表示する。図６は、表示部５４が表示する画面の一例を示す図である。図６に示すように、例えば、表示部５４は「チャージをお勧めいたします。」と表示する。スピーカ５２により出力される音声、表示部５４に表示される画面は、行き先候補に設置された自動改札機１により、出場を許可されないと判定されることを利用者Ｕに予め通知することができる音声、画面であれば、如何なるものであってもよい。次に、扉６０が開放状態とされ（ステップＳ１１６）、本フローチャートの処理が終了する。
【００２６】
このように、判定制御部３４は、情報読取部１０によって読み取られた情報に基づいて、媒体Ｍの利用履歴に基づき、利用者Ｕの行き先候補を選定し、利用者Ｕが提示した媒体Ｍを利用して行き先候補に設置された自動改札機の出場が許可されるか否かを判定する。また、情報出力部５０は、媒体Ｍの残額情報が、行き先候補までの運賃以上ではない場合に、利用者Ｕへ行き先候補に設置されている自動改札機１で出場許可がされないことを通知する。利用者Ｕは、当該駅の自動改札機１から駅構内へ入場するときに、媒体Ｍの残額情報が、行き先候補の自動改札機から出場できる残高となっているかどうかを知ることができるため、残高が足りない場合には自発的にチャージや清算を行い、自動改札機で制止される煩わしさを回避することができる。この結果、本実施形態の自動改札機１は、利用者Ｕにとっての利便性を向上させることができる。
【００２７】
（第２の実施形態）   
以下、第２の実施形態について説明する。ここでは、第１の実施形態との相違点を中心に説明し、第１の実施形態と共通する機能等についての説明は省略する。第１の実施形態では、所定の条件は、利用者Ｕが当該駅で入場した場合において、媒体Ｍの利用履歴に含まれる駅のうち、当該駅を除く駅の中で、最も利用履歴に登録された回数が多い（或いは割合が高い）行き先候補駅までの運賃が、残高情報の示す残高以下であることであった。これに対し、第２の実施形態における所定の条件は、利用者Ｕが当該駅で入場した場合において、媒体Ｍの利用履歴に含まれる駅のうち、当該駅を入場駅としたときに出場駅となった回数が最も多い（或いは割合が高い）行き先候補駅までの運賃が、残高情報の示す残高以下であることである。第２の実施形態に係る判定制御部３４は、上記所定の条件を満たさない場合に、行き先候補駅において出場が許可されないことに関連する情報を情報出力部５０に出力させる。
【００２８】
第２の実施形態に係る判定制御部３４が実行する処理について、前述した図４を参照して説明する。図４の例において、当該駅はＡ駅であり、利用者ＵはＡ駅で入場しようとし、入場データが利用履歴として記憶されたものとする（図４、（９））。図４の（９）に示すように、利用者ＵはＡ駅で入場したので、媒体Ｍの利用履歴には、入場の月日、入場の時刻、種別、入場駅情報が記憶された。図４の例では、行き先候補として、当該駅をＡ駅としたときに出場駅となった駅は、Ｂ駅が３回、Ｃ駅が１回である。このうち、最も回数が多い駅であるＢ駅が行き先候補として選択される。そして、判定制御部３４は、当該駅であるＡ駅からＢ駅までの運賃を運賃テーブル４２から取得し、残額情報の示す残高が運賃未満である（所定の条件を満たさない）場合に、その旨を示す情報を出力するように、情報出力部５０に指示する。
【００２９】
これによれば、当該自動改札機１が入場処理を行う場合において、当該自動改札機１が設置された駅から前記利用履歴において当該駅を入場駅としたときに出場駅となった回数が多い、または割合が高い出場駅において、出場が許可されるか否かの判定を行い、出場が許可されない場合には、利用者Ｕへ通知する。利用者Ｕは、入場駅を入場するときに、媒体Ｍの残額情報が、行き先候補とされた出場駅で出場できる残高となっているかどうかを知ることができるため、残高が足りない場合には自発的にチャージや清算を行い、自動改札機で静止される煩わしさを回避することができる。この結果、本実施形態の自動改札機１は、利用者Ｕにとっての利便性を向上させることができる。
【００３０】
（第３の実施形態）
以下、第３の実施形態について説明する。第３の実施形態における所定の条件は、当該自動改札機１が出場処理を行う場合、媒体Ｍの利用履歴において、当該駅を入場駅とした場合に、直近の入場駅までの運賃が、残高情報の示す残高以下であることである。すなわち、第３の実施形態における所定の条件は、今回の乗車を往路とした場合に、復路の運賃以上の残高が、媒体Ｍの残高情報として記載されていることである。判定制御部３４は、上記所定の条件を満たさない場合に、行き先候補駅において出場が許可されないことに関連する情報を情報出力部５０に出力させる。
【００３１】
図７は、本実施形態の自動改札機１により実行される処理の流れの一例を示すフローチャートである。図７を参照して、自動改札機１における処理の一例を説明する。第１の実施形態と同じ処理手順については、説明を省略する。
入出場処理部３２は、媒体読取部１４により読み取られた情報に基づき、改札処理を行い、出場許可の条件を満たすか否かを判定する（ステップＳ１０３）。媒体書込部２４は、入出場処理部３２から出力された信号に基づく情報を、媒体ＭのＩＣ回路に記憶させる（ステップＳ１０７）。媒体書込部２４は、例えば、出場の月日、出場の時刻、出場駅情報、残額情報、使用額情報、残額情報などを媒体ＭのＩＣ回路に記録する。
【００３２】
判定制御部３４は、利用者Ｕが提示する媒体Ｍの利用履歴に基づき、行き先候補を選択する（ステップＳ１１１）。図８は、媒体Ｍの利用履歴に基づいて行き先候補駅が選択され、所定の条件を満たすか否かが判定される処理を説明するための図である。本図の例において、当該駅はＢ駅であり、利用者ＵはＢ駅で出場しようとし、出場データが利用履歴として記憶されたものとする（図８、（９））。図８の（９）に示すように、利用者ＵはＢ駅で出場したので、媒体Ｍの利用履歴には、出場の月日、出場の時刻、種別、出場駅情報、残額が記憶された。図８の（９）の例では、直近の入場駅であるＡ駅が行き先候補として選択される。判定制御部３４は、当該駅であるＢ駅からＡ駅までの運賃を運賃テーブル４２から取得し、残額情報の示す残高が運賃以上であるか否か（所定の条件を満たすか否か）を判定する（ステップＳ１１３）。判定制御部３４が、所定の条件を満たさないと判定した場合には、復路の運賃が足りないことに関連する情報を、利用者Ｕに通知する（ステップＳ１１５）。
【００３３】
これによれば、当該自動改札機１が出場処理を行う場合において、当該自動改札機１が設置された駅から前記利用履歴における直近の入場駅までの乗車が許可されるための条件を満たしているか否かを判定を行い、直近の入場駅までの乗車が許可されないと判定された場合には、利用者Ｕへ通知する。利用者Ｕは、出場駅を出場するときに、媒体Ｍの残額情報が復路の運賃以上であるかを知ることができるため、媒体Ｍの残額情報が復路の運賃未満である場合には自発的にチャージや清算を行い、自動改札機で静止される煩わしさを回避することができる。この結果、本実施形態の自動改札機１は、利用者Ｕにとっての利便性を向上させることができる。
【００３４】
なお、第３実施形態による処理は、第１または第２実施形態の処理と排他的なものではなく、「入場駅として処理を行う場合に第１または第２実施形態の処理を行い、出場駅として処理を行う場合に第３実施形態の処理を行う」自動改札機として実装されてよい。
【００３５】
（第４の実施形態）    
以下、第４の実施形態について説明する。第１〜第３の実施形態では、所定の条件を満たしているか否かを、媒体Ｍが記憶する媒体Ｍの利用履歴に基づいて行うものとした。これに対し、第４の実施形態では、センターサーバ８０において媒体Ｍの利用履歴を集約して保持し、自動改札機１は、センターサーバ８０に問い合わせを行うことで、媒体Ｍの利用履歴を取得する。
【００３６】
図９は、自動改札機１を組み込んだ自動改札機システム１００の機能構成例を示す図である。自動改札機システム１００は、例えば、自動改札機１と、センターサーバ８０とを備える。自動改札機１と、センターサーバ８０は、インターネットやＬＡＮ等のネットワークＮＷで接続されている。
【００３７】
自動改札機１は、第１〜第３実施形態で説明した構成要素に加えて、通信部７０を更に備える。通信部７０は、コンピュータやセンターサーバ８０と接続するための拡張カードやＮＩＣ（Ｎｅｔｗｏｒｋ  Ｉｎｔｅｒｆａｃｅ  Ｃａｒｄ）等である。自動改札機１は、通信部７０およびネットワークＮＷを介して、センターサーバ８０と通信を行う。
【００３８】
センターサーバ８０は、センター側記憶部９０を備えている。センター側記憶部９０は、媒体Ｍの識別情報（媒体ＩＤ）に対応付けられて、入場・出場履歴情報、利用者情報（記名式ＩＣカードや電子機器の場合）、利用可能な区間情報および有効期限情報（定期付きＩＣカードや電子機器の場合）など、媒体Ｍ毎に、媒体Ｍに関係する情報が記憶されている。一方、媒体Ｍには、入場駅情報、経由駅情報、入場時刻情報、出場駅情報、利用可能な金額の情報（残額情報）といった、通常の入出場処理に必要な情報が記載されている。
【００３９】
第４実施形態では、判定制御部３４は、例えば、媒体読取部１４によって媒体Ｍから読み取られた媒体ＭのＩＤ情報に基づき、センター側記憶部９０に記憶された媒体ＭのＩＤ情報に対応づけされた情報を取得する。判定制御部３４は、センター側記憶部９０から取得した媒体ＭのＩＤ情報に対応づけされた情報に基づき、残額情報が、行き先候補までの運賃以上であるか（所定の条件を満たすか）否かを判定する。
【００４０】
第４実施形態に係る所定の条件は、第１〜第３実施形態で説明したいずれの条件であってもよい。第１または第２実施形態と同じ所定の条件を採用する場合、自動改札機１は、図５のフローチャートを実行する。一方、第３実施形態と同じ所定の条件を採用する場合、自動改札機１は、図７のフローチャートの処理を実行する。また、第３実施形態で述べたように、図５のフローチャートと図７のフローチャートの双方を実行するものであってもよい。いずれの場合も、ステップＳ１００における、「利用者Ｕより提示された媒体ＭのＩＣに記憶された情報を読み取る」処理を、「利用者Ｕより提示された媒体ＭのＩＣに記憶された情報を読み取り、読み取った媒体Ｍの媒体ＩＤに対応する入場・出場履歴情報等をセンターサーバ８０から取得する」と読み替える。
【００４１】
これによれば、判定制御部３４は、例えば、センター側記憶部９０に記憶された媒体ＭのＩＤ情報に対応づけされた情報に基づいて、所定の条件を満たすか判定する。この結果、センター側記憶部９０に記憶された多くの利用履歴や多様な情報を参照して、行き先候補駅を選択することができ、より高精度に行き先候補を選択することができる。また、媒体Ｍに記憶させる情報を低減することができる。
【００４２】
以上説明した少なくともひとつの実施形態によれば、媒体から読み取られた情報に基づいて、媒体の利用履歴に関係する条件であって、入出場の許可を判定するための条件とは異なる所定の条件を満たしているか否かを判定し、所定の条件を満たしていないと判定した場合に、所定の条件を満たしていないことに関連した情報を情報出力部に出力させる機能を持つことにより、利用者にとっての利便性を向上させることができる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１…自動改札機、４…乗車券投入口、１０…情報読取部、１２…磁気券読取部、１４…媒体読取部、２０…情報書込部、２２…磁気券書込部、２４…媒体書込部、３０…制御部、３２…入出場処理部、３４…判定制御部、３６…扉制御部、４０…記憶部、４２…運賃テーブル、５０…情報出力部、５２…スピーカ、５４…表示部、６０…扉、７０…通信部、８０…センターサーバ、９０…センター側記憶部、１００…自動改札機システム
【図１】
2015176299.tif 000003
【図２】
2015176299.tif 000004
【図３】
2015176299.tif 000005
【図４】
2015176299.tif 000006
【図５】
2015176299.tif 000007
【図６】
2015176299.tif 000008
【図７】
2015176299.tif 000009
【図８】
2015176299.tif 000010
【図９】
2015176299.tif 000011